(57)【特許請求の範囲】
【請求項１】
被加熱物を収納する加熱庫を有した本体と、該本体の前面に設けられた前記加熱庫のドアと、前記ドアよりも下側で前記本体の前面を覆う枠体であると共に前記本体を支持する支持部材と、前記ドアに設けられた電装部と、前記本体内に設けられていて前記電装部に電力を供給する電源部と、前記電源部と前記電装部とを接続するリード線と、を備えた加熱調理装置において、
前記支持部材の内部が前記ドアの内部に連通する手段として、前記ドアの下端面に対向する前記支持部材の上面に第１開口が形成されており、前記ドアの下端面に第２開口が形成されており、
前記リード線は
前記第２開口及びその直下に位置する前記第１開口を経て
前記支持部材内に入り、
前記支持部材の内部が前記本体の内部に連通する手段として、前記支持部材の背面側が開放されており、前記本体の前面には前記支持部材で覆われた部分に第３開口が形成されており、
支持部材内のリード線が前記第３開口を経て、
前記ドアの内部から前記支持部材の内部を通って前記本体の内部に達するように配設されていることを特徴とする加熱調理装置。
【請求項２】
前記第１開口と前記第２開口とはそれぞれの中心が前記ドアの回転軸上に位置し、前記第１開口の周縁は上方に延在して筒部を成していることを特徴とする請求項１に記載の加熱調理装置。
【請求項３】
前記本体の前面の前記ドアよりも下側には通気口が設けられていると共に、前記支持部材の前記本体の前面を覆う部分には連通口が形成されていることを特徴とする請求項１又は請求項２に記載の加熱調理装置。
【請求項４】
被加熱物を収納する加熱庫を有した本体と、
該本体の前面に設けられた前記加熱庫のドアと、
前記ドアよりも下側で前記本体の前面を覆う枠体であると共に該本体を支持する支持部材と、
前記ドアに設けられた電装部と、
前記本体内に設けられていて前記電装部に電力を供給する電源部と、
前記電源部と前記電装部とを接続するリード線とを備え、
前記支持部材の内部が前記ドアの内部に連通する手段と前記支持部材の内部が前記本体の内部に連通する手段が設けられており、前記リード線は前記ドアの内部から前記支持部材の内部を通って前記本体の内部に達するように配設されている加熱調理装置において、
前記支持部材の内部が前記ドアの内部と連通する手段として、前記ドアの下端面に対向する前記支持部材の上面には第１開口が形成されていて、前記ドアの下端面には第２開口が形成され、
前記ドアの下端面の直下にある前記支持部材の上面と前記ドアの下端面との間に、前記第１開口の周縁を上方に延在させ、前記ドアの下端面に接する筒部を設けていることを特徴とする加熱調理装置。
【請求項５】
前記第１開口と前記第２開口とはそれぞれの中心が前記ドアの回転軸上に位置していることを特徴とする請求項４に記載の加熱調理装置。
【請求項６】
前記支持部材の内部が前記本体の内部に連通する手段として、前記支持部材は背面側が開放されていて、前記本体の前面には前記支持部材で覆われた部分に第３開口が形成されていることを特徴とする請求項４または請求項５に記載の加熱調理装置。
【請求項７】
前記本体の前面の前記ドアよりも下側には通気口が設けられていると共に、前記支持部材の前記本体の前面を覆う部分には連通口が形成されていることを特徴とする請求項４乃至請求項６のいずれかに記載の加熱調理装置。
【発明の詳細な説明】
【０００１】
【発明の属する技術分野】
本発明は、電子レンジなどの加熱調理装置に関するものである。
【０００２】
【従来の技術】
加熱調理装置の一例である電子レンジの従来技術について説明する。先ず、図６に示す電子レンジは特開平１−１８９４２２号公報に開示されたものであり、操作キーを備えた操作部６１と表示部６２とがドア６３に設けられている。これら操作部６１及び表示部６２はリード線６４にて本体６５内に設けられた電源部６６に接続されている。
【０００３】
ヒンジに併設されたリードカバー６７はヒンジごと本体６５に取り付けられているものであり(ここでは、分解して図示)、リード線６４はドア６３の内部を通ってその下側よりいったん外に出てから、該リード線カバー６７を貫通して本体６５の前面よりその内部に導かれている。このように、リード線６４にリード線カバー６７を設けることで、ドア６３の開閉動作時にリード線６４を露出させないようにしてその損傷を防止する。
【０００４】
また、図７に示す電子レンジは特開平１１−３０４１６１号公報に開示されたものである。この電子レンジの本体７１には被加熱物を収納する加熱庫の内部に連通した通気口がドア７２の上方に設けられている。この本体７１の前面の外観を損なわないために、前記通気口を覆うルーバー７３が取り付けられている。
【０００５】
【発明が解決しようとする課題】
しかしながら、上述した従来の電子レンジではリード線を保護したり、好ましい外観を保つためにいずれの場合もリード線カバー６７(図６参照)やルーバー７３(図７参照)といった部材をそれぞれ設けなければならなかった。つまり、そのぶん通常の構成よりも部品点数が増加するので生産性の低下やコストの上昇を招いていた。
【０００６】
本発明は上記課題をかんがみて成されたものであり、部品点数を増やすことなくリード線を保護する機能が得られた加熱調理装置を提供することを目的とする。また、本発明の他の目的は部品点数を増やすことなく好ましい外観が得られた加熱調理装置の提供にある。
【０００７】
【課題を解決するための手段】
上記目的を達成するために、本発明の加熱調理装置は被加熱物を収納する加熱庫を有した本体と、該本体の前面に設けられた加熱庫のドアと、ドアよりも下側で本体の前面を覆う枠体であると共に該本体を支持する支持部材と、ドアに設けられた電装部と、本体内に設けられていて電装部に電力を供給する電源部と、該電源部と電装部とを接続するリード線とを備えたものである。ここで、支持部材の内部がドアの内部に連通する手段と、支持部材の内部が本体の内部に連通する手段が設けられており、リード線はドアの内部から支持部材の内部を通って本体の内部に達するように配設されている。つまり、ドアから延び出たリード線は支持部材の内部を貫通して本体に達するので外に露出されることがない。
【０００８】
また、上記加熱調理装置では支持部材の内部がドアの内部と連通する手段として、ドアの下端面に対向する支持部材の上面には第１開口が形成されていて、ドアの下端面には第２開口が形成されている。従って、リード線はドアの下端面の第２開口よりドアの外に延び出ており、そのすぐ下に位置する第１開口を介して支持部材内に入る。
【０００９】
また、上記第１開口の周縁が上方に延在して筒部を成していると、ドア側の第２開口と支持部材側の第１開口との間に距離があってもリード線は筒部内を通ることから外に露出されない。
【００１０】
また、上述した第１開口と前記第２開口とはそれぞれの中心がドアの回転軸上に位置していると、ドアが開閉しても第１開口と第２開口とは水平方向に位置ズレすることなく垂直方向に並んだ状態が保たれる。つまり、第１及び第２開口を貫通するリード線はドアが開閉することによって屈曲することがない。
【００１１】
また、上記加熱調理装置では、支持部材の内部が本体の内部に連通する手段として、支持部材の背面側が開放されていて、本体の前面には支持部材で覆われた部分に第３開口が形成されている。従って、支持部材内のリード線はそのまま本体の前面の第３開口を経て本体内へ入る。
【００１２】
また、上記加熱調理装置では、本体の前面のドアよりも下側には通気口が設けられていると共に、支持部材の本体の前面を覆う部分には連通口が形成されている。従って、本体の内部は前面に設けられた通気口と支持部材の連通口とを介して外部に連通しており、吸気及び排気が行われる。
【００１３】
本発明の他の加熱調理装置は、被加熱物を収納する加熱庫を有した本体と、該本体の前面に設けられた加熱庫のドアと、本体の前面のドアよりも下側を覆う枠体であると共に該本体を支持する支持部材とを備えたものである。ここで、本体の前面のドアよりも下側には通気口が設けられていると共に、支持部材の本体の前面を覆う部分には連通口が形成されている。従って、本体の内部は前面に設けられた通気口と支持部材の連通口とを介して外部に連通しており、吸気及び排気が行われる。
【００１４】
【発明の実施の形態】
以下、本発明に係る実施形態を図面を参照して説明する。図１は本実施形態の電子レンジの外観斜視図である。１は内部に加熱庫(図示せず)を設けた本体、２は該本体１の前面に取り付けられた加熱庫のドア、３は該ドア２の把手であり、ドアスクリーン２１の中央上部に設けられた４はコントロールパネルや液晶表示部などの電装部である。このドア２は、一点鎖線Ａで示す回転軸を中心に水平方向に回転して開閉されるものである。
【００１５】
また、５は本体１を底部前側で支持するための支持部材、６は底部後ろ側で支持するための脚台である。該支持部材５は直接床面に載っていて本体１を左右方向の両端で支持する第１脚部５１及び第２脚部５２と、これら第１及び第２脚部５１,５２を一体につなぐ細長い前カバー部５３とから成る枠体である。
【００１６】
図２に示すように、第１及び第２脚部５１,５２はいずれも前面、上面、左右両側面、及び床面に接する底面を有している。第１脚部５１の上面５１ａには上方に延びるスリーブ５１ｂを備えた第１開口５１ｃが一体に形成されており、該第１開口５１ｃの中心にドア２(図１参照)の回転軸Ａが位置している。また、前カバー部５３にはその前面に細長い連通口５３ａが形成されていると共に、後述するルーバー(図示せず)が設けられている。
【００１７】
上述した本実施形態の電子レンジにおいて、先ず電装部４のリード線の引き回し構成について説明する。図３はドア２を正面から見たときの説明図である。一端が電装部４に接続されたリード線７はドア２の内部をドアスクリーン２１又はドアフレーム２２に一部が固定されながら、ドア２の下部まで引き回されている。
【００１８】
ドアフレーム２２の下端面にはドア２の回転軸Ａ上に中心が位置する第２開口２ａが形成されており、リード線７は該第２開口２ａよりドア２の外に延びている。このとき、ドア２内に設けられたドアヒンジ８の下側にはリード線７を這わせるだけの十分な空間が設けられている。尚、ドア２の内部におけるリード線７の配置は図示したものに限らず、ドアフレーム２２の第２開口２ａを通る構成であればよい。
【００１９】
このようにしてドア２より外に延びたリード線７は、図１に示す支持部材５の第１脚部５１の内部を通る。即ち、図１中点線Ｂにおける垂直方向の断面図である図４に示すように、ドア２の第２開口２ａを通ったリード線７は直下に位置する第１脚部５１のスリーブ５１ｂ付き開口に嵌入する。
【００２０】
このとき、ドア２の第２開口２ａとスリーブ５１ｂの第１開口５１ｃ(図２参照)はいずれも回転軸Ａ(図２及び図３参照)上に位置していることから連通している。また、スリーブ５１ｂの上端はドア２の下端面に接している。尚、該スリーブ５１ｂはドア２の内部に嵌入された構成であってもよい。
【００２１】
また、上記第１脚部５１は背面側が開放された構成であって、本体１の前面１ａに接している。リード線７はこの第１脚部５１内の空間を通り、本体１の前面１ａに形成された第３開口１ｂを経て本体１の内部に達する。そして、その先端にはプラグ９が設けられており、本体１の内部に備えられた電源部１０に接続される。
【００２２】
このように、本実施形態の電子レンジは支持部材５の第１脚部５１が本体１の前面１ａの下部を覆う構成であることから、該第１脚部５１内をドア２及び本体１の内部と連通させてリード線７を通している。その上、スリーブ５１ｂを介してリード線７を第１脚部５１内に導いているので、リード線７は露出することがない。
【００２３】
また、第１脚部５１のスリーブ５１ｂ付き第１開口５１ｃ(図２参照)とドア２の第２開口２ａの中心は共に回転軸Ａ(図２及び図３参照)上に位置してるので、ドア２を開閉させてもこれらの第１及び第２開口２ａ,５１ｃは水平方向に位置ズレしない。従って、ドア２を開成させるたびにリード線７が屈曲するということがないので、リード線７が損傷するおそれはない。
【００２４】
次に、該電子レンジの通気機構について説明する。図５は図１中点線Ｃにおける垂直方向の断面を示している。該図に示すように、本体１の前面１ａの下部に取り付けられた支持部材５は前カバー部５３で該前面１ａに密接している。この前カバー部５３は、前述したように連通口５３ａが形成されていると共に、該連通口５３ａの下縁よりななめ上方向に延びるルーバー５３ｂが設けられている。
【００２５】
また、本体１の前面１ａには前カバー部５３で覆われたところに通気口１ｃが形成されている。そして、該通気口１ｃに対向するように、本体１内の加熱庫(図示せず)の下側にはクロスフローファン１１が配設されている。
【００２６】
加熱庫内で加熱が始まると同時にクロスフローファン１１は駆動し、空気を前カバー部５３の連通口５３ａ及び本体１の通風口１ｃを介して本体１内に流入させる(図中、矢印Ｄは空気の流れ)。この空気流Ｄは空気流ダクト１２ａ,１２ｂによって本体１の背面方向に導かれる。
【００２７】
これらクロスフローファン１１及び空気流ダクト１２ａ,１２ｂの後方には、本体１内の加熱庫と底板との間に、マグネトロンや、高圧トランス及び高圧コンデンサなどの電力供給部材といった高周波発生装置(図示しない)が配設されている。故に、この空気流Ｄによって前記高周波発生装置が冷却される。
【００２８】
このように、本実施形態の電子レンジは支持部材５の前カバー部５３によって覆われる本体１の前面１ａの下部に通気口１ｃを設けていると共に、該前カバー部５３に通気手段を設けている。これによって、通気口１ｃが目立たなくなるので外観上好ましい構成となる。
【００２９】
また、本体１の前面１ａの下部に通気口１ｃが位置することから、本体１内の加熱庫と底板との間に配設された高周波発生装置へ通じる通風経路が簡単且つ短くなる。従って、該高周波発生装置を効率よく冷却することができる。
【００３０】
尚、本実施形態の電子レンジは支持部材５にリード線７を保護する機能と本体１の通気口１ｃを覆って好ましい外観を保つ機能とを持たせた構成であるが、支持部材５はどちらか一方の機能のみを有するものであってもよい。即ち、第１脚部５１に第１開口５１ｃ及びスリーブ５１ｂを設けただけの構成か、或いは前カバー部５３に連通口５３ａを設けただけの構成でもよい。
【００３１】
また、本実施形態は加熱調理装置の一例である電子レンジについて説明しているが、本発明はこの他の加熱調理装置に適用されてもよいのはもちろんである。
【００３２】
【発明の効果】
以上説明したように、本発明の加熱調理装置はリード線を保護する機能や通風口を目立たなくして好ましい外観を保つ機能を支持部材に兼用させている。故に、リード線カバーやルーバーなどを特別に製作し組み立てる必要がないので、構成が簡単であると共にコストが低くてすむ。
【００３３】
特に、支持部材にてリード線を保護する構成では、支持部材側の第１開口とドア側の第２開口との間に距離がある場合、第１開口の周縁に筒部を設けてその中にリード線を貫通させることから、確実にリード線の露出を防止できる。
【００３４】
また、リード線が貫通する支持部材側の第１開口とドア側の第２開口とをドアの回転軸上に位置させたことで、ドアが開閉してもリード線を屈曲させない構成としている。これによって、断線などリード線の損傷を防ぎ安全、且つ品質の高い加熱調理装置を提供できる。
【図面の簡単な説明】
【図１】本発明に係る実施形態の電子レンジの外観斜視図である。
【図２】本実施形態における支持部材の外観斜視図である。
【図３】本実施形態におけるドアの説明図である。
【図４】図１における点線Ｂでの垂直方向の断面図である。
【図５】図１における点線Ｃでの垂直方向の断面図である。
【図６】従来の電子レンジの一例を示す構成図である。
【図７】従来の電子レンジの他の一例を示す外観斜視図である。
【符号の説明】
１    本体
１ａ  本体の前面
１ｂ  第３開口
１ｃ  通気口
２    ドア
２ａ  第１開口
４    電装部
５    支持部材
７    リード線
１０    電源部
５１ｂ  筒部
５１ｃ  第２開口
５３ａ  連通口
Ａ    回転軸
【図１】
0003541353.tif 000002
【図２】
0003541353.tif 000003
【図３】
0003541353.tif 000004
【図４】
0003541353.tif 000005
【図５】
0003541353.tif 000006
【図６】
0003541353.tif 000007
【図７】
0003541353.tif 000008